(57)【要約】【課題】エレベーターの保守点検中でも、一般利用者がエレベーターを利用することを可能にするエレベーターの保守点検システムの提供。【解決手段】上記課題は、制御盤１に接続されかつ乗り場に設置されて乗りかご２の停止位置を表示する乗り場表示装置５、５Ａと、制御盤１に接続されかつ乗り場に設置されて乗りかご２を呼び寄せる乗り場呼び釦６、６Ａと、制御盤１に接続されてエレベーターを監視する監視装置７と、この監視装置７及び制御盤１に接続されてエレベーターの保守点検を行う保守点検装置８とを少なくとも備え、保守点検装置８から監視装置７若しくは制御盤１に保守点検運転指令を送信させることで、保守点検運転を開始させると共に、その保守点検運転に対応するところの、乗り場呼び釦６、６Ａが押された場合における呼びの応答内容を、乗り場表示装置５、５Ａに表示することにより、解決できる。【選択図】図１
2005298123.tif 000002
【特許請求の範囲】
【請求項１】
エレベーターを制御する制御盤と、この制御盤に接続されかつ乗りかご内に設置された乗りかご内運転盤と、前記制御盤に接続されかつ乗り場に設置される乗り場表示装置と、前記制御盤に接続されかつ乗り場に設置されて前記乗りかごを呼び寄せる乗り場呼び釦と、前記制御盤に接続されてエレベーターを監視する監視装置と、この監視装置若しくは前記制御盤のいずれか一方若しくは両方に接続されてエレベーターの保守点検を行う保守点検装置と、前記監視装置に通信回線で接続された監視センターを、少なくとも備えたエレベーターの保守点検システムにおいて、前記保守点検装置若しくは前記乗りかご内運転盤から前記監視装置若しくは前記制御盤に保守点検運転指令を送信させることで、前記乗りかごが保守点検運転を開始させると共に、その保守点検運転に対応するところの、前記乗り場呼び釦が押された場合における呼びの応答内容を、前記乗り場表示装置に表示するように構成したことを特徴とするエレベーターの保守点検システム。
【請求項２】
前記乗り場に、前記監視装置若しくは前記制御盤と接続された音声装置を設けて、この音声装置によって、その保守点検運転に対応するところの、前記乗り場呼び釦が押された場合における呼びの応答内容を、放送するように構成したことを特徴とする請求項１記載のエレベーターの保守点検システム。
【請求項３】
前記乗り場表示装置に表示される表示内容若しくは前記音声装置によって放送される放送内容を、前記保守点検装置若しくは前記監視センターから変更できるように構成したことを特徴とする請求項１若しくは２記載のエレベーターの保守点検システム。
【発明の詳細な説明】
【技術分野】
【０００１】
本発明は、エレベーターの保守点検システムに関するものである。
【背景技術】
【０００２】
従来、エレベーターの保守点検作業をする場合は、その作業開始前にエレベーターの各階床の乗り場に、「点検中」という点検札を掲示した後、エレベーターの保守点検を専門に行う技術者（以下、専門技術者という）が、各階床の乗りかご停止位置や乗りかご及び乗り場のドアの開閉状態などの点検を、測定器や人間の五感によって行うようにし、しかも、乗りかご及び乗り場のドアなどの清掃作業も一緒に行うようにしていた。
【０００３】
そのために、エレベーターの保守点検の作業時間が長くなり、その保守点検が終了するまで、そのエレベーターを使用することができないので、そのエレベーターを利用している一般利用者に多大な不便をかける結果となっていた。
【０００４】
そこで、エレベーターを制御する制御盤内の制御基板に設けたメモリに予め格納された保守運転動作プログラムに従って、エレベーターの保守点検運転を自動的に行うことで、保守点検作業が効率よく行われるようにしたエレベーター制御装置が提案されている（例えば、特許文献１参照）。
【０００５】
さらに、保守点検スイッチなどの保守切り替え動作と連動して、エレベーターの各階床の乗り場に設置されて乗りかごの停止位置を表示する乗り場位置表示器（かご位置表示器）に、保守点検中であることが自動的に表示されるようにすることにより、エレベーターの各階床の乗り場に、「点検中」という点検札を掲示する作業を省くことで、保守点検の作業時間を短縮化するようにしたエレベーター制御システムが開発されている（例えば、特許文献２参照）。
【特許文献１】特開２０００−３５５４７１号公報（段落番号００１９〜段落番号００２４、図２）
【特許文献２】特開平９−１６５１５４号公報（段落番号０００６〜段落番号０００９、図１）
【発明の開示】
【発明が解決しようとする課題】
【０００６】
しかしながら、上述した特開２０００−３５５４７１号公報に記載のエレベーター制御装置であっても、エレベーターの保守点検運転中は、一般利用者がエレベーターを利用することができず、エレベーターの保守点検が終了するのを待ってからエレベーターを利用するしかなく、一般利用者の不便さを十分に解消することができないという問題があった。
【０００７】
さらに、上述した特開平９−１６５１５４号公報に記載のエレベーター制御システムは、単に保守点検中であることを自動的に乗り場位置表示器（かご位置表示器）に案内しているにすぎず、エレベーターの保守点検運転中は、一般利用者がエレベーターを利用することができないものであって、やはり、エレベーターの保守点検が終了するのを待ってからエレベーターを利用するしかなく、一般利用者の不便さを十分に解消することができないという問題があった。
【０００８】
本発明は、上述した問題点に鑑みてなされたもので、その目的は、エレベーターの保守点検中でも、一般利用者がエレベーターを利用することを可能にするエレベーターの保守点検システムを提供するにある。
【課題を解決するための手段】
【０００９】
上記目的は、エレベーターを制御する制御盤と、この制御盤に接続されかつ乗りかご内に設置された乗りかご内運転盤と、前記制御盤に接続されかつ乗り場に設置されて前記乗りかごの停止位置を表示する乗り場表示装置と、前記制御盤に接続されかつ乗り場に設置されて前記乗りかごを呼び寄せる乗り場呼び釦と、前記制御盤に接続されてエレベーターを監視する監視装置と、この監視装置若しくは前記制御盤のいずれか一方若しくは両方に接続されてエレベーターの保守点検を行う保守点検装置と、前記監視装置に通信回線で接続された監視センターを、少なくとも備えたエレベーターの保守点検システムにおいて、前記保守点検装置若しくは前記乗りかご内運転盤から前記監視装置若しくは前記制御盤に保守点検運転指令を送信させることで、前記乗りかごが保守点検運転を開始させると共に、その保守点検運転に対応するところの、前記乗り場呼び釦が押された場合における呼びの応答内容を、前記乗り場表示装置に表示することにより、達成できる。
【発明の効果】
【００１０】
本発明によれば、エレベーターの保守点検中であっても、乗り場表示装置に表示された呼びの応答内容を見て、乗り場呼び釦を押すことで、乗りかごを呼び寄せることができる場合には、一般利用者が乗りかごに乗って所望の階床に移動することができるようになり、一般利用者の不便さを大幅に解消することのできるエレベーターの保守点検システムを提供できた。
【発明を実施するための最良の形態】
【００１１】
以下、本発明に係るエレベーターの保守点検システムの一実施形態を図面に基づいて説明する。図１は、本発明の一実施形態を示すエレベーターの保守点検システム全体の機能ブロック図である。図２は本発明の一実施形態に係わるエレベーターの保守点検手順例を示すフローチャートである。
【００１２】
図１に示すエレベーターの保守点検システムは、エレベーターを制御する制御盤１と、この制御盤１に接続されかつ乗りかご２内に設置された乗りかご内運転盤３と、制御盤１に接続されかつ各乗り場４、４Ａに設置されて乗りかご２の停止位置を表示する各乗り場表示装置５、５Ａと、制御盤１に接続されかつ各乗り場４、４Ａに設置されて乗りかご２を呼び寄せる各乗り場呼び釦６、６Ａと、制御盤１に接続されてエレベーターを監視する監視装置７と、この監視装置７及び制御盤１に接続されてエレベーターの保守点検を行う保守点検装置８と、監視装置７に通信回線９で接続された監視センター１０と、乗り場４、４Ａに設置されかつ監視装置７若しくは制御盤１に乗り場表示装置５、５Ａを介して接続された音声装置１１、１１Ａを、少なくとも備えている。
【００１３】
乗りかご２は、建物などに立設させた昇降路内に収納されてその昇降路内を走行するものである。制御盤１は、乗り場呼び釦６、６Aなどの入力を検出して、電動機（図示せず）の回転を制御することで、乗りかご２を昇降路内の所定に位置に走行させる機能を有している。乗りかご内運転盤３は、第１のコード１３により、制御盤１に接続されている。昇降路に形成した乗り場４の側壁には、乗り場表示装置５、乗り場呼び釦６及び音声装置１１が設けられている。昇降路に形成した乗り場４Ａには、乗り場表示装置５Ａ、乗り場呼び釦６Ａ及び音声装置１１Ａが設けられている。乗り場呼び釦６、６Aは、第２のコード１４により、制御盤１に接続されている。乗り場表示装置５、５Ａ及び音声装置１１、１１Ａは、第３のコード１５により、制御盤１に接続されている。
【００１４】
監視装置７は、適時若しくは常時、エレベーターを監視して、そのエレベーターに異常が発生すると、その異常を、通信回線９を介して監視センター１０に通報する機能を有している。保守点検装置８は、エレベーターの保守点検時に監視装置７及び制御盤１に接続して、その監視装置７及び制御盤１に、保守点検運転指令を送信することにより、乗りかご２を走行させるなどしてエレベーターの保守点検運転を実行させる。監視センター１０は、エレベーターを監視する監視装置７から遠く離れた場所に設けられており、その監視センター１０内には、監視センター用端末装置１２が備えられている。監視センター用端末装置１２は、監視装置７から各種の監視データを、適宜に、通信回線９を介して適宜に入手することができる。通信回線９としては、有線回路若しくは無線回路が用いられている。
【００１５】
エレベーターの保守点検運転状態には、各種の保守点検運転状態がある。例えば、昇降路内に設置した安全装置の動作状態及び動作位置を点検する場合は、乗りかご２を低速走行させるので、その乗りかご２がドアゾーン外を走行しているときに、乗り場呼び釦６、６Ａが押されても、すぐにその呼びに応答せず、一旦、保守点検運転を中断してから応答させる必要があり、通常よりも応答に時間がかかってしまう。一旦、保守点検運転を中断するタイミングは、各保守点検運転の進行状況によって決定するものとし、必ず、乗り場呼び釦６、６Ａが押されて、すぐには中断することとはせず、保守点検運転の再開が容易なように、予め中断の区切りを決めておくようにする。なお、上述したように、通常よりも、応答に時間がかかる保守点検運転状態を、ここでは、点検運転モード２と称することとする。
【００１６】
さらに、乗りかご２の走行状態やドア（かごドア及び乗り場ドア）の開閉状態を点検する場合には、通常運転に近い状態で、乗りかご２を走行させるため、乗り場呼び釦６、６Ａが押されると、すぐにその呼びが、通常運転とほとんど変わらない時間で応答する。このように、通常運転とほとんど変わらない時間で応答する保守点検運転状態を、ここでは、点検運転モード３と称することとする。
【００１７】
さらに、乗り場呼び釦６、６Ａが押されると、すぐにその呼びが、通常運転とほとんど変わらない時間で応答できる保守点検運転状態であるにもかかわらず、実行中の保守点検運転を定められた時間までに終了させなければならない場合には、乗り場呼び釦６、６Ａが押されも、すぐにその呼びに応答しない。このように、乗り場呼び釦６、６Aの呼びにすぐに応答できるのに、すぐにその呼びに応答しない保守点検運転状態を、ここでは、点検運転モード１と称することとする。これら点検運転モード１、点検運転モード２及び点検運転モード３は、専門技術者Ｍが保守点検装置８を使用して、切り替え設定することができるようにしてある。
【００１８】
次に、上記実施形態のエレベーターの保守点検システムによる保守点検手順例を、図２に基づいて、詳説する。
【００１９】
まず、保守点検装置８を監視装置７及び制御盤１に接続して、その保守点検装置８から監視装置７に保守点検運転指令を送信させると、図２に示す手順Ｓ１に示すように、保守点検運転スタートであるか否かにつき、監視装置７により、判断される。そして、図２に示す手順Ｓ１において、保守点検運転スタートであると判断された場合に、監視装置７から制御盤１に保守点検運転指令が送信されて、図２に示す手順Ｓ２に進む。
【００２０】
図２に示す手順Ｓ２においては、制御盤１に保守点検運転指令が送信されると、制御盤１によって、エレベーターの保守点検運転が行われると共に、そのエレベーターの保守点検運転状態が点検運転モード１であるか否かにつき、監視装置７により、判断される。
【００２１】
図２に示す手順Ｓ２において、エレベーターの保守点検運転状態が点検運転モード１であると判断された場合には、監視装置７から制御盤１を介して、乗り場表示装置５、５Ａに案内表示１の指令が、かつ、音声装置１１、１１Ａに案内放送１の指令が送信されるので、図２に示す手順Ｓ３のように、「点検中。今、呼びに応答できません。しばらくしてから釦を、押してください。」との表示が、乗り場表示装置５、５Ａになされると共に、同じく、「点検中。今、呼びに応答できません。しばらくしてから釦を、押してください。」との放送が、音声装置１１、１１Aによって行われ、しかも、図２に示す手順Ｓ４のように、エレベーターの保守点検運転が継続して実行される。
【００２２】
上述した案内表示１による表示及び案内放送１による放送が行われることにより、エレベーターを利用しようとして乗り場４、４Ａに待機している一般利用者は、点検札が掲示されていなくとも、乗り場表示装置５、５Ａに表示された内容と音声装置１１、１１Aによる放送の内容によって、乗りかご２を呼び寄せることができないこと確実に知ることができる。
【００２３】
図２に示す手順Ｓ２において、エレベーターの保守点検運転状態が点検運転モード１でないと判断された場合には、図２に示す手順Ｓ５に進み、エレベーターの保守点検運転状態が点検運転モード２であるか否かにつき、監視装置７により、判断される。図２に示す手順Ｓ５において、エレベーターの保守点検運転状態が点検運転モード２であると判断された場合には、監視装置７から制御盤１を介して、乗り場表示装置５、５Ａに案内表示２の指令が、かつ、音声装置１１、１１Ａに案内放送２の指令が送信されるので、図２に示す手順Ｓ６のように、「点検中。釦を押してください。点検を中断し応答します。」との表示が、乗り場表示装置５、５Ａになされると共に、同じく、「点検中。釦を押してください。点検を中断し応答します。」との放送が、音声装置１１、１１Aによって行われ、しかも、乗り場呼び釦６、６Ａが押された場合にエレベーターの保守点検運転を一旦中断できる状態で、昇降路内の安全装置などの点検が制御盤１によって、図２の手順Ｓ７に示すように、実行される。
【００２４】
上述した案内表示２による表示及び案内放送２による放送が行われることにより、エレベーターを利用しようとして乗り場４、４Ａに待機している一般利用者は、エレベーターが保守点検運転中であっても、乗り場呼び釦６、６Ａを押すことで、乗りかご２を呼び寄せることができることを知ることができるので、その乗り場呼び釦６、６Ａをして乗りかご２に乗ることができる。
【００２５】
次に、図２に示す手順Ｓ５において、エレベーターの保守点検運転状態が点検運転モード２でないと判断された場合には、図２に示す手順Ｓ８に進み、エレベーターの保守点検運転状態が点検運転モード３であるか否かにつき、監視装置７により、判断される。
【００２６】
図２に示す手順Ｓ８において、エレベーターの保守点検運転状態が点検運転モード３であると判断された場合には、監視装置７から制御盤１を介して、乗り場表示装置５、５Ａに案内表示３の指令が、かつ、音声装置１１、１１Ａに案内放送３の指令が送信されるので、図２に示す手順Ｓ９のように、「点検中。釦を押してください。応答します。」との表示が、乗り場表示装置５、５Ａになされると共に、同じく、「点検中。釦を押してください。応答します。」との放送が、音声装置１１、１１Aによって行われる。
【００２７】
上述した案内表示３による表示及び案内放送３による放送が行われることにより、図２に示す手順Ｓ１０のように、エレベーターの保守点検運転が制御盤１によって実行されていても、乗り場呼び釦６、６Ａを押すことで乗りかご２を呼び寄せることができることを、エレベーターを利用しようとして乗り場４、４Ａに待機している一般利用者が知ることができるので、その乗り場呼び釦６、６Ａをして乗りかご２に乗ることができる。
【００２８】
次いで、エレベーターの保守点検運転が終了したならば、監視装置７では、保守点検運転の結果を制御盤１から読み出して、正常か異常かの解析が行われて、異常の場合には、監視装置７から通信回線９を介して監視センター１０に通報される。しかも、その解析の結果を、監視装置７から保守点検装置８に読み出して、専門技術者Ｍが確認することで、エレベーターに異常が発生している場合には、専門技術者Ｍがその異常を除去するための適切な処理を施すようにすればよく、その異常の処理を迅速に行うことができる。
【００２９】
以上のように、上記実施形態のエレベーターの保守点検システムによれば、一般利用者は、エレベーターが保守点検運転中であっても、乗りかご２を呼び寄せることができることや乗りかご２を呼び寄せることができないことを、乗り場表示装置５、５Ａや音声装置１１、１１Ａによって、難なく確認することができ、エレベーターの利便性を向上されることができる。
【００３０】
さらに、上記実施形態のエレベーターの保守点検システムによれば、エレベーターが保守点検運転中であっても、乗り場呼び釦６、６Ａを押すことで、乗りかご２を呼び寄せることができる場合には、一般利用者が乗りかご２に乗って所望の階床に移動することができるようになり、一般利用者の不便さが大幅に解消される。また、エレベーターの保守点検作業開始前にエレベーターの各階床の乗り場に、「点検中」という点検札を掲示するという作業をしなくともよくなるので、エレベーターの保守点検の作業時間の短縮化を図ることができる。
【００３１】
上記実施形態においては、保守点検運転の結果を制御盤１から監視装置７に読み出して、監視装置７にて正常か異常かの解析を行うようにしているが、これに限定されない。制御盤１にて保守点検運転の結果に基づき正常か異常かの解析をも行うようにしてもよい。
【００３２】
さらに、上記実施形態においては、制御盤１若しくは監視装置７により、乗り場表示装置５、５Aに表示される内容及び音声装置１１、１１Aによって放送される内容を設定するようにしているが、これに限定されない。乗り場表示装置５、５Aに表示される内容及び音声装置１１、１１Aによって放送される内容を、保守点検装置８によって、設定するようにすることも可能である。また、乗り場表示装置５、５Ａに表示される表示内容若しくは音声装置１１、１１Ａによって放送される放送内容を、保守点検装置８から変更できるようにしているが、監視センター１０の監視センター用端末装置１２から変更できるようにすることも可能である。
【００３３】
さらに、上記実施形態においては、保守点検装置８を監視装置７及び制御盤１の両方に接続してエレベーターの保守点検を行うようにしているが、保守点検装置８を監視装置７若しくは制御盤１のいずれか一方に接続してエレベーターの保守点検を行うようにすることも可能である。また、上記実施形態における各乗り場４、４Ａの側壁に設けた乗り場表示装置５、５Ａ及び音声装置１１、１１Ａは、別々に設けるようにしているが、乗り場表示装置５、５Ａ内に音声装置１１、１１Ａを組み込んだ構成にすることも可能である。また、保守点検装置８から監視装置７若しくは制御盤１に保守点検運転指令を送信させることで、乗りかご２が保守点検運転を開始するようにしているが、乗りかご内運転盤３から監視装置７若しくは制御盤１に保守点検運転指令を送信させることで、乗りかご２が保守点検運転を開始するようにすることも可能である。また、上記実施形態の乗り場表示装置５、５Ａは、乗りかごの停止位置を表示と、乗り場呼び釦６、６Ａが押された場合における呼びの応答内容に関する表示とを、一緒に行うようにしているが、別々にして、それぞれ専用の表示装置とすることも可能である。
【００３４】
さらに、上記実施形態においては、乗り場表示装置５、５Ａによる表示と音声装置１１、１１Ａによる放送の両方で、乗り場呼び釦６、６Ａが押された場合における呼びの応答内容を、エレベーターを利用しようとして乗り場４、４Ａに待機している一般利用者に知らしめるようにしているが、乗り場表示装置５、５Ａによる表示のみにより、乗り場呼び釦６、６Ａが押された場合における呼びの応答内容を、エレベーターを利用しようとして乗り場４、４Ａに待機している一般利用者に知らしめるようにしてもよい。
【００３５】
上記実施形態では、監視装置７から制御盤１を介して乗り場表示装置５、５Ａに、案内表示指令が送信されると、乗り場表示装置５、５Ａに、エレベーターの保守点検運転状態に対応した案内表示１、案内表示２、案内表示３などの表示が、自動的になされるようにしているが、これに限定されない。エレベーターを利用しようとして乗り場４、４Ａに待機している一般利用者が乗り場呼び釦６、６Ａを押した時にのみ、乗り場表示装置５、５Ａに、エレベーターの保守点検運転状態に対応した案内表示１、案内表示２、案内表示３などの表示がなされるようにしてもよい。また、監視装置７から制御盤１を介して音声装置１１、１１Ａに案内放送指令が送信されると、音声装置１１、１１Ａによってエレベーターの保守点検運転状態に対応した案内放送１、案内放送２、案内放送３などの放送が、自動的になされるようにしているが、これに限定されない。エレベーターを利用しようとして乗り場４、４Ａに待機している一般利用者が乗り場呼び釦６、６Ａを押した時にのみ音声装置１１、１１Ａによって、エレベーターの保守点検運転状態に対応した案内放送１、案内放送２、案内放送３などの放送がなされるようにしてもよい。
【図面の簡単な説明】
【００３６】
【図１】本発明の一実施形態を示すエレベーターの保守点検システム全体の機能ブロック図である。
【図２】本発明の一実施形態に係わるエレベーターの保守点検手順例を示すフローチャートである。
【符号の説明】
【００３７】
１    制御盤
２    乗りかご
３    乗りかご内運転盤
４、４Ａ    乗り場
５、５Ａ    乗り場表示装置
６、６Ａ    乗り場呼び釦
７    監視装置
８    保守点検装置
９    通信回線
１０  監視センター
１１、１１Ａ  音声装置
１２  監視センター用端末装置
１３  第１のコード
１４  第２のコード
１５  第３のコード
【図１】
2005298123.tif 000003
【図２】
2005298123.tif 000004